【手続補正書】
【提出日】平成23年9月9日(2011.9.9)
【手続補正１】
【補正対象書類名】特許請求の範囲
【補正対象項目名】全文
【補正方法】変更
【補正の内容】
【特許請求の範囲】
【請求項１】
アクセスポイントと無線接続が可能な通信手段と、
現在位置情報を取得する位置情報取得部と、
上記通信手段を制御して接続可能なアクセスポイントを検出させた場合に、上記接続可能なアクセスポイントが発見されなかったときには、上記通信手段によって接続したアクセスポイントの識別情報と位置情報とを対応付けたデータベースに登録された上記アクセスポイントに関する情報のうちの１または複数を表示手段に表示させる制御手段と
を備える端末装置。
【請求項２】
上記表示手段に表示させる上記アクセスポイントに関する情報が、無線接続可能場所に対する現在位置からの距離・方位情報および現在位置から所定距離内に存在する無線接続可能場所の場所情報の少なくとも一方である
請求項１に記載の端末装置。
【請求項３】
上記制御部が、上記データベースに登録されたアクセスポイントに関する上記情報を複数上記表示部に表示させる場合には、該データベースに登録されたアクセスポイントに関する上記情報を、上記現在位置からの距離順もしくは上記アクセスポイントへの接続回数順に並べて表示させる
請求項２に記載の端末装置。
【請求項４】
上記現在位置情報は、ＧＰＳ、もしくは上記複数のアクセスポイントのＭＡＣアドレスおよび信号強度を基に現在位置情報を抽出するシステムにより取得する
請求項２または請求項３に記載の端末装置。
【請求項５】
データの送信処理時に上記通信手段が無線接続を行うことができない場合は、上記制御部が上記通信手段が無線接続可能な状態となったときに上記データを送信する送信予約の処理を行い、
上記通信手段が無線接続可能な状態となった場合に、上記送信予約がなされているときには、上記制御部が、上記送信予約がなされていることを上記表示部に表示させる
請求項４に記載の端末装置。
【請求項６】
被写体を撮影する撮影手段をさらに有し、
上記データが、上記被写体を撮影した画像データである
請求項５に記載の端末装置。
【請求項７】
上記制御部が、接続したい上記アクセスポイント周辺の地図を上記表示部に表示させる
請求項４に記載の端末装置。
【請求項８】
上記制御部が、現在位置から接続したい上記アクセスポイントまでのルートを上記地図上に表示させる
請求項７に記載の端末装置。
【請求項９】
アクセスポイントと通信手段との無線接続が不可能な場合に、現在位置情報を取得する現在位置情報取得のステップと、
上記現在位置情報取得のステップにより取得した上記現在位置情報と、上記通信手段によって接続したアクセスポイントの識別情報と位置情報とを対応付けたデータベースの上記位置情報とから、現在位置から上記アクセスポイントまでの距離および方位を抽出する距離情報抽出のステップと、
上記距離情報抽出のステップで抽出された距離を基に、所定の条件に一致する１または複数のアクセスポイントを検出する検出のステップと、
上記検出のステップにより検出された上記１または複数のアクセスポイントに関する情報を、表示手段に表示させる表示のステップと
を有する接続可能位置情報表示方法。
【請求項１０】
上記検出のステップは、
上記現在位置から上記アクセスポイントまでの距離がより近い上記１または複数のアクセスポイント、もしくは上記現在位置から所定距離内に存在する上記１または複数のアクセスポイントを検出する
請求項９に記載の接続可能位置情報表示方法。
【請求項１１】
上記記憶のステップにおいて、上記アクセスポイントへの接続回数が上記識別情報に対応付けられている場合には、
上記検出のステップは、
上記アクセスポイントへの接続回数がより多い上記１または複数のアクセスポイントを検出する
請求項９に記載の接続可能位置情報表示方法。
【請求項１２】
上記表示のステップは、
上記１または複数のアクセスポイントに関する情報が、上記現在位置から上記アクセスポイントまでの距離順もしくは上記アクセスポイントへの接続回数順に並べられて表示される
請求項１０または請求項１１に記載の接続可能位置情報表示方法。
【請求項１３】
アクセスポイントと通信手段との無線接続が不可能な場合に、現在位置情報を取得する現在位置情報取得のステップと、
上記現在位置情報取得のステップにより取得した上記現在位置情報と、上記通信手段によって接続したアクセスポイントの識別情報と位置情報とを対応付けたデータベースの上記位置情報とから、現在位置から上記アクセスポイントまでの距離および方位を抽出する距離情報抽出のステップと、
上記距離情報抽出のステップで抽出された距離を基に、所定の条件に一致する１または複数のアクセスポイントを検出する検出のステップと、
上記検出のステップにより検出された上記１または複数のアクセスポイントに関する情報を、表示手段に表示させる表示のステップと
を実行させるためのプログラム。
【手続補正２】
【補正対象書類名】明細書
【補正対象項目名】０００８
【補正方法】変更
【補正の内容】
【０００８】
上記課題を解決するために、第１の発明は、アクセスポイントと無線接続が可能な通信手段と、現在位置情報を取得する位置情報取得部と、通信手段を制御して接続可能なアクセスポイントを検出させた場合に、接続可能なアクセスポイントが発見されなかったときには、通信手段によって接続したアクセスポイントの識別情報と位置情報とを対応付けたデータベースに登録されたアクセスポイントに関する情報のうちの１または複数を表示手段に表示させる制御手段と
を備える端末装置である。
【手続補正３】
【補正対象書類名】明細書
【補正対象項目名】００１３
【補正方法】変更
【補正の内容】
【００１３】
第２の発明は、アクセスポイントと通信手段との無線接続が不可能な場合に、現在位置情報を取得する現在位置情報取得のステップと、現在位置情報取得のステップにより取得した現在位置情報と、通信手段によって接続したアクセスポイントの識別情報と位置情報とを対応付けたデータベースの位置情報とから、現在位置からアクセスポイントまでの距離および方位を抽出する距離情報抽出のステップと、距離情報抽出のステップで抽出された距離を基に、所定の条件に一致する１または複数のアクセスポイントを検出する検出のステップと、検出のステップにより検出された１または複数のアクセスポイントに関する情報を、表示手段に表示させる表示のステップとを有する接続可能位置情報表示方法である。
【手続補正４】
【補正対象書類名】明細書
【補正対象項目名】００１７
【補正方法】変更
【補正の内容】
【００１７】
第３の発明は、アクセスポイントと通信手段との無線接続が不可能な場合に、現在位置情報を取得する現在位置情報取得のステップと、現在位置情報取得のステップにより取得した現在位置情報と、通信手段によって接続したアクセスポイントの識別情報と位置情報とを対応付けたデータベースの位置情報とから、現在位置からアクセスポイントまでの距離および方位を抽出する距離情報抽出のステップと、距離情報抽出のステップで抽出された距離を基に、所定の条件に一致する１または複数のアクセスポイントを検出する検出のステップと、検出のステップにより検出された１または複数のアクセスポイントに関する情報を、表示手段に表示させる表示のステップとを実行させるための接続可能位置情報表示プログラムである。
【手続補正５】
【補正対象書類名】明細書
【補正対象項目名】００４５
【補正方法】変更
【補正の内容】
【００４５】
［アクセスポイント位置情報データベース］
図３に示すＡＰ位置情報ＤＢは、例えばデジタルカメラ１の出荷時に予め記憶部５６に記憶されており、例えば日本国内の公衆無線ＬＡＮのアクセスポイントの情報を含むものである。また、デジタルカメラ１の出荷後に、パーソナルコンピュータ等により所定のデータベースをダウンロードし、記憶部５６に記憶するようにしてもよい。ＡＰ位置情報ＤＢは、必要に応じて特定の地域の情報のみを含むデータベースに書き換えてもよい。これにより、メモリを効果的に削減することができる。なお、ＡＰ位置情報ＤＢは、デジタルカメラ１をインターネットに接続したり、新しいアクセスポイント情報を含む外部記録媒体と接続することにより、新たなアクセスポイントの追加や不要なアクセスポイントの削除などの更新を行うことができる。